(57)【要約】【課題】  装飾性能を低下させることなく装飾体を装身具等に取付できるようにする。装身具等に取付けられた装飾体を長期にわたり確実に保持することのできる取付強度を確保できるようにする。【解決手段】  塊形の装飾体１と、装飾体１を内部に収容して一端口に抜止め係止させるスリーブ２と、スリーブ２の他端口側に設けられ装飾体１をスリーブの内部に保持する保持部材３とを備えている。スリーブ２は、外周面の一部の周方向に外径を大きくしたリング部２２が一体的に形成されている。【選択図】図１
2008093092.tif 000002
【特許請求の範囲】
【請求項１】
塊形の装飾体と、装飾体を内部に収容して一端口に抜止め係止させるスリーブと、スリーブの他端口側に設けられ装飾体をスリーブの内部に保持する保持部材とを備えた装飾用部品において、スリーブは外周面の一部の周方向に外径を大きくしたリング部が一体的に形成されていることを特徴とする装飾用部品。
【請求項２】
請求項１の装飾用部品において、スリーブのリング部は他端口側の側面が緩い傾斜のテーパ面に形成されていることを特徴とする装飾用部品。
【請求項３】
請求項１または２の装飾用部品において、保持部材はスリーブの内部に収容されて装飾体を一端口側へ弾圧する弾性材からなることを特徴とする装飾用部品。
【請求項４】
請求項３の装飾用部品において、保持部材は装飾体に当接するシートとシートを弾圧するコイルスプリングとからなることを特徴とする装飾用部品。
【請求項５】
請求項１〜４のいずれかの装飾用部品において、スリーブは他端口から軸方向の少しの幅に外径を小さくした薄肉部が形成されていることを特徴とする装飾用部品。
【請求項６】
請求項１〜５のいずれかの装飾用部品を取付穴に押込んで取付けるに際して、装飾体，保持部材を収容したスリーブを他端口から取付穴に押込み、スリーブの他端口側を取付穴の底面で屈曲変形させ、スリーブ，装飾体，保持部材を一体化させることを特徴とする装飾用部品の取付方法。
【請求項７】
請求項１〜５のいずれかの装飾用部品を取付穴に押込んで取付けるに際して、取付穴に装飾体，保持部材を挿入しておき、スリーブを他端口から装飾体，保持部材に被せるようにして取付穴に押込み、スリーブの他端口側を取付穴の底面で屈曲変形させて装飾体，保持部材を内部に掬込み、スリーブ，装飾体，保持部材を一体化させることを特徴とする装飾用部品の取付方法。
【発明の詳細な説明】
【技術分野】
【０００１】
本発明は、時計，ブレスレッド等の装身具等に取付けられる装飾用部品に係る技術分野に属する。
【背景技術】
【０００２】
最近、装身具等の装飾として、宝石等の塊形の装飾体を取付けて高級感を演出することが行われている。塊形の装飾体を装身具等に取付ける技術としては、装身具等の装飾面に堀込んだ取付穴に塊形の装飾体を押込んで固定する埋込式が普及している。この埋込式の技術では、装飾体を装身具等に長期にわたり確実に保持することのできる取付強度が要求される。
【０００３】
従来、装身具等に対する装飾体の取付強度を確保する技術としては、例えば、以下に記載のものが知られている。
【特許文献１】特開２００３−８８４０８号公報  特許文献１には、塊形の装飾体と、装飾体を内部に収容して一端口に抜止め係止させるスリーブと、スリーブの他端口側に設けられ装飾体をスリーブの内部に保持する保持部材とを備えた装飾用部品が記載されている。
【０００４】
特許文献１に係る装飾用部品は、スリーブ，保持部材で装飾体を包むように支持し、一体化されたスリーブ，保持部材，装飾体を装身具等の装飾面に堀込んだ取付穴に押込んで固定するもので、スリーブと取付穴との嵌合による圧接力で装身具等に対する装飾体の取付強度を確保するものである。
【発明の開示】
【発明が解決しようとする課題】
【０００５】
特許文献１に係る装飾用部品では、取付穴への押込みの際に取付穴の内壁との摩擦抵抗の応力でスリーブが変形して、スリーブによる装飾体の係止姿勢が不測に変化しやすく、装身具等の装飾面に装飾体を適正に位置させることが困難になるため、装飾性能が低くならざるを得ないという問題点がある。
【０００６】
本発明は、このような問題点を考慮してなされたもので、装飾性能を低下させることなく装飾体を装身具等に取付けることができ、装身具等に取付けられた装飾体を長期にわたり確実に保持することのできる取付強度が確保される装飾用部品と、この装飾用部品を装身具等に取付けるのに好適な装飾部品の取付方法とを提供することを課題とする。
【課題を解決するための手段】
【０００７】
前述の課題を解決するため、本発明に係る装飾用部品は、特許請求の範囲の請求項１〜５に記載の手段を採用する。
【０００８】
即ち、請求項１では、塊形の装飾体と、装飾体を内部に収容して一端口に抜止め係止させるスリーブと、スリーブの他端口側に設けられ装飾体をスリーブの内部に保持する保持部材とを備えた装飾用部品において、スリーブは外周面の一部の周方向に外径を大きくしたリング部が一体的に形成されていることを特徴とする。
【０００９】
この手段では、取付穴への押込みの際にスリーブのリング部が塑性変形して、取付穴の内壁との摩擦抵抗の応力がリング部に吸収されてスリーブの他部分へ作用しなくなることで、装飾体の係止姿勢の変化をもたらすスリーブの変形が防止される。また、スリーブと取付穴との嵌合による圧接力がスリーブのリング部を介して維持される。
【００１０】
また、請求項２では、請求項１の装飾用部品において、スリーブのリング部は他端口側の側面が緩い傾斜のテーパ面に形成されていることを特徴とする。
【００１１】
この手段では、取付穴への押込みの際にスリーブのリング部のテーパ面によって押込みが案内される。
【００１２】
また、請求項３では、請求項１または２の装飾用部品において、保持部材はスリーブの内部に収容されて装飾体を一端口側へ弾圧する弾性材からなることを特徴とする。
【００１３】
この手段では、弾性材である保持部材がスリーブに抜止め係止された装飾体の緩衝材として機能する。
【００１４】
また、請求項４では、請求項３の装飾用部品において、保持部材は装飾体に当接するシートとシートを弾圧するコイルスプリングとからなることを特徴とする。
【００１５】
この手段では、保持部材の一部として軸方向への長さに可変性のあるコイルスプリングが採用される。
【００１６】
また、請求項５では、請求項１〜４のいずれかの装飾用部品において、スリーブは他端口から軸方向の少しの幅に外径を小さくした薄肉部が形成されていることを特徴とする。
【００１７】
この手段では、スリーブの押込みの先端付近に強度的に弱い薄肉部が設けられることで、スリーブの取付穴への押込みの際に取付穴の底面に当接した薄肉部が変形する。
【００１８】
さらに、前述の課題を解決するため、本発明に係る装飾用部品の取付方法は、特許請求の範囲の請求項６，７に記載の手段を採用する。
【００１９】
即ち、請求項６では、請求項１〜５のいずれかの装飾用部品を取付穴に押込んで取付けるに際して、装飾体，保持部材を収容したスリーブを他端口から取付穴に押込み、スリーブの他端口側を取付穴の底面で屈曲変形させ、スリーブ，装飾体，保持部材を一体化させることを特徴とする。
【００２０】
この手段によると、取付穴への取付け前にスリーブに装飾体，保持部材が収容され、スリーブの他端口側の屈曲変形によって取付穴の内部でスリーブ，装飾体，保持部材が一体化されて組立てられる。
【００２１】
また、請求項７では、請求項１〜５のいずれかの装飾用部品を取付穴に押込んで取付けるに際して、取付穴に装飾体，保持部材を挿入しておき、スリーブを他端口から装飾体，保持部材に被せるようにして取付穴に押込み、スリーブの他端口側を取付穴の底面で屈曲変形させて装飾体，保持部材を内部に掬込み、スリーブ，装飾体，保持部材を一体化させることを特徴とする。
【００２２】
この手段では、取付穴の内部に挿入された装飾体，保持部材に対してスリーブが被せられ、スリーブの他端口側の屈曲変形によって取付穴の内部でスリーブ，装飾体，保持部材が一体化されて組立てられる。
【発明の効果】
【００２３】
本発明に係る装飾用部品は、取付穴への押込みの際にスリーブのリング部が塑性変形して、取付穴の内壁との摩擦抵抗の応力がリング部に吸収されてスリーブの他部分へ作用しなくなることで、装飾体の係止姿勢の変化をもたらすスリーブの変形が防止されるため、装飾性能を低下させることなく装飾体を装身具等に取付けることができる効果がある。また、スリーブと取付穴との嵌合による圧接力がスリーブのリング部を介して維持されるため、装身具等に取付けられた装飾体を長期にわたり確実に保持することのできる取付強度が確保される効果がある。
【００２４】
また、請求項２として、取付穴への押込みの際にスリーブのリング部のテーパ面によって押込みが案内されるため、取付穴へ押込む取付作業が容易になる効果がある。
【００２５】
また、請求項３として、弾性材である保持部材がスリーブに抜止め係止された装飾体の緩衝材として機能するため、装身具に取付けられた装飾体に強い衝撃が掛かった場合に装飾体の損傷を防止することができる効果がある。
【００２６】
また、請求項４として、保持部材の一部として軸方向への長さに可変性のあるコイルスプリングが採用され、スリーブに収容される装飾体，保持部材の軸方向への長さに可変性がもたらされるため、スリーブ，装飾体，保持部材の組立の精度誤差を吸収することができる効果がある。
【００２７】
また、請求項５として、スリーブの押込みの先端付近に強度的に弱い薄肉部が設けられ、スリーブの取付穴への押込みの際に取付穴の底面に当接した薄肉部が変形するため、変形した薄肉部によって取付穴の内部でスリーブ，装飾体，保持部材を一体化させることができ、取付穴への取付け前におけるスリーブ，装飾体，保持部材の組立工作が不要になる効果がある。
【００２８】
さらに、本発明に係る装飾用部品の取付方法は  請求項６として、取付穴への取付け前にスリーブに装飾体，保持部材が収容され、スリーブの他端口側の屈曲変形によって取付穴の内部でスリーブ，装飾体，保持部材が一体化されて組立てられるため、取付穴への取付け前におけるスリーブ，装飾体，保持部材の組立工作が不要になる効果がある。
【００２９】
また、本発明に係る装飾用部品の取付方法は  請求項７として、取付穴の内部に挿入された装飾体，保持部材に対してスリーブが被せられ、スリーブの他端口側の屈曲変形によって取付穴の内部でスリーブ，装飾体，保持部材が一体化されて組立てられるため、取付穴への取付け前におけるスリーブ，装飾体，保持部材の組立工作が不要になる効果がある。
【発明を実施するための最良の形態】
【００３０】
以下、本発明に係る装飾用部品およびその取付方法を実施するための最良の形態を図面に基づいて説明する。
【００３１】
図１〜図６は、本発明に係る装飾用部品およびその取付方法を実施するための最良の形態の第１例を示すものである。
【００３２】
第１例では、図６に示すように、装身具である腕時計Ｗの本体部Ｗａ，バンドＷｂへの取付けに好適な比較的小型のものが示されている。
【００３３】
第１例は、特許文献１に係る装飾用部品と同様に、装飾体１，スリーブ２，保持部材３からなる基本構成が採用されている。
【００３４】
装飾体１は、頭部がほぼ平坦で底部が錐形のダイヤモンドのような宝石からなる塊形に形成されている。
【００３５】
スリーブ２は、セラミックの硬度の高い材質からなる腕時計Ｗの本体部Ｗａ，バンドＷｂの装飾面とされる表面に設けられた取付穴Ｈと摩擦抵抗で塑性変形する相対的に硬度の低いステンレス等の材質で切削加工技術，電縫管造管技術等により両端部が開口された円筒形に形成されている。スリーブ２の一端口には、周方向に内径が小さくなるように内側に突出した環状の抜止２１が一体的に形成されている。スリーブ２のほぼ中央部の外周面には、周方向に外径が大きくなるように外側に突出した環状のリング部２２が一体的に形成されている。リング部２２の他端口側の側面は、相対的に緩い傾斜のテーパ面２３に形成されている。リング部２２の一端口側の側面は、相対的に急な傾斜のテーパ面２４に形成されている。スリーブ２の他端口側から軸方向の少しの幅には、外径を小さくした薄肉部２５が形成されている。
【００３６】
保持部材３は、シート３１とコイルスプリング３２との二つの部材からなる。シート３１は、ゴム材等の弾性を有する材料で段付きの円柱形に形成されてなるもので、スリーブ２の一端口側に向けられる大径部分の端面に装飾体１の錐形の底部が収容される円錐形の受座３１ａが設けられ、大径部分と小径部分との界面がコイルスプリング３２の一端部が当接される当接座３１ｂが設けられている。シート３１は、図２（Ａ）に示すように、装飾体１の底部の錐形の角度ａよりも受座３１ａの角度ｂが大きく設定され、スリーブ２の内径ｃよりも大径部分の外径ｄが小さく設定されている。従って、図２（Ｂ）に示すように、シート３１の受座３１ａが錐頂部分で装飾体１との間にスペースｅを介在させ、シート３１の大径部分がスリーブ２の内壁との間にスペースｆを介在させることになる。コイルスプリング３２は、丸鋼線がスパイラルに巻回された通常のものからなる。
【００３７】
第１例の取付穴Ｈへの取付けでは、図２（Ａ）に示すように、スリーブ２，装飾体１，保持部材３のシート３１，保持部材３のコイルスプリング３２の順に同一の軸線上に重ねるようにする。そして、図２（Ｂ）に示すように、スリーブ２の内部に装飾体１，保持部材３を収容する。
【００３８】
なお、図２（Ｂ）に示す状態は、スリーブ２の内壁への保持部材３（特に、コイルスプリング３２）の引掛かりによって保持される。従って、スリーブ２の他端口から装飾体１，保持部材３が簡単に脱落することはない。また、装飾体１の頭部がスリーブ２の抜止に抜止め係止されるため、スリーブ２の一端口から装飾体１，保持部材３が飛出すこともない。
【００３９】
続いて、図５（Ａ）に示すように、内部に装飾体１，保持部材３が収容されたスリーブ２を圧力Ｐを加えることで取付穴Ｈに押込む。
【００４０】
このスリーブ２の取付穴Ｈへの押込みでは、リング部２２で摩擦抵抗の大きな圧入となるが、他端口側のテーパ面２３で案内されて徐々に摩擦抵抗が大きくなるため、取付作業を容易に行うことができる。
【００４１】
取付穴Ｈへ押込まれるスリーブ２は、他の部分よりも肉厚となっているリング部２２が取付穴Ｈの内壁との摩擦抵抗で塑性変形するため、他の部分に摩擦抵抗の応力が作用することがない。従って、装飾体１の係止姿勢の変化をもたらすスリーブ２の変形が防止され、装飾性能を低下させることなく装飾体１を装身具等に取付けることができる。なお、スリーブ２の塑性変形したリング部２２は、取付穴Ｈの内壁と圧着するため、装身具等に取付けられた装飾体１を長期にわたり確実に保持することのできる取付強度が確保される。また、スリーブ２のリング部２２の一端口側のテーパ面２４は、リング部２２の塑性変形がスリーブ２の外周面と取付穴Ｈの内壁の間へ案内する。従って、スリーブ２のリング部２２の取付穴Ｈの内壁との圧着力が強化される。
【００４２】
さらに、スリーブ２の取付穴Ｈへの押込みでは、取付穴Ｈの底面に当接した他端口に圧力Ｐの反力Ｓを受けることになる。このため、図５（Ｂ）に示すように、スリーブ２の他端口に位置する強度的に弱くなっている薄肉部２５が他端口の一部を閉塞するように屈曲変形される。この結果、スリーブ２に収容されている装飾体１，保持部材３の他端口からの脱落が完全に防止され、スリーブ２，装飾体１，保持部材３が部品として一体化されることになる。従って、取付穴Ｈへの取付け前におけるスリーブ２，装飾体１，保持部材３の組立工作が不要になる。なお、取付穴Ｈを先端が角形のドリル等で形成して、取付穴Ｈの底面が中心に向けて傾斜した円錐形としておくと、スリーブ２の薄肉部２５の屈曲変形を円滑に行わせることができる。
【００４３】
スリーブ２の薄肉部２５の屈曲変形の際には、弾性材である保持部材３によって、装飾体１に対して緩衝力が発揮されて装飾体１がスリーブ２と激しく擦過して損傷することがなくなり、装飾体１に対して少しの押圧力が作用してスリーブ２の抜止２１に傾いて係止している装飾体１の姿勢を補正する。また、保持部材３のコイルスプリング３２は、軸方向への長さに可変性を有しているため、スリーブ２，装飾体１，保持部材３の組立の精度誤差を吸収することができる。
【００４４】
第１例が取付穴Ｈに取付けられと、図５（Ｂ）に示すように、装身具等の装飾面に装飾体１の頭部のほぼ全面が露出されるとともに少しの突出高さに抑えられる。従って、装飾体１の装飾機能を充分に発揮させることができる。また、装飾体１は、背部に弾性材である保持部材３が配置されているため、強い衝撃が掛かった場合でも保持部材３で衝撃を吸収して損傷することがない。なお、図２（Ｂ）に示した保持部材３周りのスペースｅ，ｆは、保持部材３の衝撃吸収能力を高めている。
【００４５】
図７は、本発明に係る装飾用部品およびその取付方法を実施するための最良の形態の第２例を示すものである。
【００４６】
第２例は、取付穴Ｈへの取付けに際して、取付穴Ｈに装飾体１，保持部材３を挿入しておき、スリーブ２を他端口から装飾体１，保持部材３に被せるようにして取付穴Ｈに押込み、スリーブ２の薄肉部２５の屈曲変形で装飾体１，保持部材３を内部に掬込むようにする。
【００４７】
第２例によると、取付穴Ｈの外部でスリーブ２への装飾体１，保持部材３の収容作業が不要になる。
【００４８】
以上、図示した各例の外に、装飾体１を球体等の他の形状の塊形とすることも可能である。また、装飾体を宝石以外のガラス材，合成樹脂材等の装飾物とすることも可能である。
【００４９】
さらに、スリーブ２のリング部２２を周方向へ間欠的に設けたり軸方向へ複数個設けることも可能である。
【００５０】
さらに、保持部材３を単一部材としたり他の弾性材質のものとすることも可能である。
【産業上の利用可能性】
【００５１】
本発明に係る装飾用部品およびその取付方法は、装身具以外に置物，屋内外装飾品，家具，携帯用機器類等の広範な物品，機器類を取付対象とすることができ、微小なものから比較的大型のものまでの大きさに適用することが可能である。
【図面の簡単な説明】
【００５２】
【図１】本発明に係る装飾用部品およびその取付方法を実施するための最良の形態の第１例の斜視図であり、（Ａ）〜（Ｃ）の順に取付工程が示されている。
【図２】図１の要部の拡大縦断面図であり、（Ａ）が図１（Ａ）に対応し、（Ｂ）が図１（Ｂ）に対応している。
【図３】図２（Ｂ）の平面図である。
【図４】図２（Ｂ）の底面図である。
【図５】図１の要部の拡大縦断面図であり、（Ａ）に図１（Ｃ）の取付工程の直前の状態が示され、（Ｂ）に図１（Ｃ）の取付工程の状態が示されている。
【図６】図１の取付の適用対象を示す正面図である。
【図７】本発明に係る装飾用部品およびその取付方法を実施するための最良の形態の第２例の取付けの初期工程を示す断面図である。
【符号の説明】
【００５３】
１   
装飾体
２            スリーブ
２２          リング部
２３          テーパ面
２４          薄肉部
３            保持部材
３１          シート
３２          コイルスプリング
Ｈ            取付穴
【図１】
2008093092.tif 000003
【図２】
2008093092.tif 000004
【図３】
2008093092.tif 000005
【図４】
2008093092.tif 000006
【図５】
2008093092.tif 000007
【図６】
2008093092.tif 000008
【図７】
2008093092.tif 000009